(57)【要約】【課題】  回動部材の動作による演出効果を向上させることが可能な遊技機の提供を目的とする。【解決手段】  本発明の遊技機によれば、回動部材９０の遊技球受容部９２に受容された遊技球は、回動部材９０が第２姿勢となると、延設ガイド９６に沿って遊技盤１１に直交する方向に転動してから排出される。つまり、回動部材９０が第２姿勢となっても、遊技球は直ちに排出されることはなく、暫くの間、遊技球受容部９２に延設された延設ガイド９６上を転動するので、回動部材９０が第２姿勢（可動部９３が「第二位置」）となっている時間を従来の遊技機より長くすることができる。これにより、回動部材９０の回動動作が分かり易くなり、回動部材９０の回動による演出効果が向上する。【選択図】  図９
2010051830.tif 000002
【特許請求の範囲】
【請求項１】
軸部によって回動可能に軸支された回動部材を備え、
前記回動部材には、
遊技球を受け入れる遊技球受入部と、
通常時には第一位置に付勢され、前記遊技球受入部に遊技球が受け入れられたときには、その遊技球の自重によって前記回動部材が前記軸部を中心として回動することで第二位置に移動する可動部とが設けられ、
前記遊技球受入部に受け入れられた遊技球が再度流下される再流路が設けられ、
前記遊技球受入部には、前記可動部が前記第二位置のときに、遊技球を前記再流路上まで誘導可能な遊技球誘導部が延設され、
前記遊技球誘導部には、前記再流路上で遊技球を落下させる球排出部が設けられたことを特徴とする遊技機。
【請求項２】
前記可動部が前記第一位置のときには、前記遊技球受け入れ部に受け入れた遊技球が前記遊技球誘導部側に移動することを規制すると共に、前記可動部が前記第一位置から前記第二位置に移動したときには、前記規制を解除する移動規制手段を備えたことを特徴とする請求項１に記載の遊技機。
【請求項３】
前記可動部が前記第一位置と前記第二位置との間のときに、前記遊技球誘導部側に移動した遊技球が前記球排出部から落下することを規制すると共に、前記可動部が前記第二位置のときには、前記球排出部から遊技球が落下することを許容する落下規制手段を備えたことを特徴とする請求項１又は２に記載の遊技機。
【請求項４】
前記遊技球受け入れ部には、前記遊技球誘導部に向かって遊技球を誘導する傾斜が設けられたことを特徴とする請求項１乃至３の何れかに記載の遊技機。
【請求項５】
前記可動部が前記第一位置のときには、前記可動部を遊技者から視認不可能とすると共に、前記可動部が前記第二位置のときには、前記可動部を遊技者から視認可能とする隠蔽部材を備えたことを特徴とする請求項１乃至４の何れかに記載の遊技機。
【請求項６】
遊技の進行を表示する表示部を備え、前記可動部は、前記第二位置のときに前記表示部の一部を覆うことを特徴とする請求項１乃至５の何れかに記載の遊技機。
【請求項７】
第１姿勢と第２姿勢との間を回動可能に軸支された回動部材と、
前記回動部材に形成されて、遊技球を受容可能な遊技球受容部と、
前記回動部材を前記第１姿勢に向けて付勢し、前記遊技球受容部に遊技球が受容されていない状態では、前記回動部材を前記第１姿勢に保持する一方、前記遊技球受容部に遊技球が受容された状態では、その遊技球の自重によって前記回動部材が前記第２姿勢側に回動することを許容する付勢手段と、
前記遊技球受容部から前記回動軸の軸方向に沿って延設され、前記遊技球受容部に受容された遊技球を前記回動軸の軸方向に転動させてから排出する延設ガイドと、
前記第１姿勢では、前記遊技球受容部から前記延設ガイドへの遊技球の転動を規制する一方、前記第２姿勢では、前記遊技球受容部から前記延設ガイドへの遊技球の転動を許容する転動ストッパとを備えたことを特徴とする遊技機。
【請求項８】
前記回動部材の側方には、遊技球を下方に案内する樋状壁部が設けられ、
前記延設ガイドは、前記樋状壁部に形成された側部開口を通って前記遊技球受容部から前記樋状壁部の内部に突出し、
前記転動ストッパは、前記側部開口の開口縁で構成されたことを特徴とする請求項７に記載の遊技機。
【請求項９】
前記延設ガイドのうち延設方向と交差方向を向いた側縁部とに、遊技球を排出するための排出部を設け、前記第１姿勢と前記第２姿勢との間では、前記排出部と前記側部開口の開口縁との間隔が遊技球より小さくなる一方、前記第２姿勢になると、前記排出部と前記側部開口の開口縁との間隔が遊技球より大きくなるように構成したことを特徴とする請求項８に記載の遊技機。
【請求項１０】
前記回動部材より遊技者側に重ねて設けられた隠蔽部材と、
前記回動部材に設けられて、前記第１姿勢のときに、前記隠蔽部材によって隠蔽される一方、前記回動部材が前記第２姿勢のときに、前記隠蔽部材からずれて前記遊技者が直接視認可能な位置に出現する出没部とが設けられたことを特徴とする請求項８又は９に記載の遊技機。
【請求項１１】
前記隠蔽部材と遊技球を下方に案内する樋状壁部とを兼用したことを特徴とする請求項１０に記載の遊技機。
【請求項１２】
遊技球が転動可能な遊技盤と、
前記遊技盤に組み付けられ、動画を表示可能な表示部とが備えられ、
前記回動軸は、前記遊技盤に直交するように配置され、
前記回動部材には、その回動動作に伴って前記表示部を横切って移動する可動部が設けられたことを特徴とする請求項７乃至１１の何れかに記載の遊技機。
【請求項１３】
遊技球が転動可能な遊技盤と、
前記遊技盤に対して直交する回動軸を中心にして、第１姿勢と第２姿勢との間を回動可能な回動部材と、
前記回動部材に形成されて、遊技球を受容可能な遊技球受容部と、
前記回動部材を前記第１姿勢に向けて付勢し、前記遊技球受容部に遊技球が受容されていない状態では、前記回動部材を前記第１姿勢に保持する一方、前記遊技球受容部に遊技球が受容された状態では、その遊技球の自重によって前記回動部材が前記第２姿勢側に回動することを許容する付勢手段と、
前記回動部材より遊技者側に重ねて設けられた隠蔽部材と、
前記回動部材に設けられ、前記第１姿勢のときに、前記隠蔽部材によって隠蔽される一方、前記回動部材が前記第２姿勢のときに、前記隠蔽部材からずれて前記遊技者が直接視認可能な位置に出現する出没部と、
前記遊技球受容部から延設されて、前記遊技球受容部に受容された遊技球を転動させてから排出する延設ガイドと、
前記第１姿勢では、前記遊技球受容部から前記延設ガイドへの遊技球の転動を規制する一方、前記第２姿勢では、前記遊技球受容部から前記延設ガイドへの遊技球の転動を許容する転動ストッパとを備えたことを特徴とする遊技機。
【請求項１４】
前記延設ガイドは、前記遊技球受容部から前記回動軸の軸方向に沿って延設され、前記遊技球受容部に受容された遊技球を前記回動軸の軸方向に転動させるように構成されたことを特徴とする請求項１３に記載の遊技機。
【発明の詳細な説明】
【技術分野】
【０００１】
本発明は、遊技機に関する。
【背景技術】
【０００２】
従来より、遊技球を第１姿勢で受入れ、その遊技球を保持した状態で第２姿勢となるまで回動し、第２姿勢となると遊技球を排出して、第１姿勢に戻される回動部材を備えた遊技機があった（例えば、特許文献１参照）。
【先行技術文献】
【特許文献】
【０００３】
【特許文献１】特開平９−２３９０９９号公報（段落［００１４］、［００１５］、図６）
【発明の概要】
【発明が解決しようとする課題】
【０００４】
ところで、上述した従来の遊技機に備えられた回動部材を、遊技者から視認可能な位置に配置して、遊技の演出に利用することが考えられる。しかしながら、上述した回動部材は、第２姿勢となると直ちに遊技球を排出して第１姿勢に戻されるため、回動部材が第２姿勢になったことが遊技者から分かり難く、回動部材の動作による演出効果が低かった。
【０００５】
本発明は、上記事情に鑑みてなされたもので、回動部材の動作による演出効果を向上させることが可能な遊技機の提供を目的とする。
【課題を解決するための手段】
【０００６】
上記目的を達成するため、請求項１に係る遊技機は、軸部によって回動可能に軸支された回動部材を備え、回動部材には、遊技球を受け入れる遊技球受入部と、通常時には第一位置に付勢され、遊技球受入部に遊技球が受け入れられたときには、その遊技球の自重によって回動部材が軸部を中心として回動することで第二位置に移動する可動部とが設けられ、遊技球受入部に受け入れられた遊技球が再度流下される再流路が設けられ、遊技球受入部には、可動部が第二位置のときに、遊技球を再流路上まで誘導可能な遊技球誘導部が延設され、遊技球誘導部には、再流路上で遊技球を落下させる球排出部が設けられたところに特徴を有する。
【０００７】
請求項２の発明は、請求項１に記載の遊技機において、可動部が第一位置のときには、遊技球受け入れ部に受け入れた遊技球が遊技球誘導部側に移動することを規制すると共に、可動部が第一位置から第二位置に移動したときには、規制を解除する移動規制手段を備えたところに特徴を有する。
【０００８】
請求項３の発明は、請求項１又は２に記載の遊技機において、可動部が第一位置と第二位置との間のときに、遊技球誘導部側に移動した遊技球が球排出部から落下することを規制すると共に、可動部が第二位置のときには、球排出部から遊技球が落下することを許容する落下規制手段を備えたところに特徴を有する。
【０００９】
請求項４の発明は、請求項１乃至３の何れかに記載の遊技機において、遊技球受け入れ部には、遊技球誘導部に向かって遊技球を誘導する傾斜が設けられたところに特徴を有する。
【００１０】
請求項５の発明は、請求項１乃至４の何れかに記載の遊技機において、可動部が第一位置のときには、可動部を遊技者から視認不可能とすると共に、可動部が第二位置のときには、可動部を遊技者から視認可能とする隠蔽部材を備えたところに特徴を有する。
【００１１】
請求項６の発明は、請求項１乃至５の何れかに記載の遊技機において、遊技の進行を表示する表示部を備え、可動部は、第二位置のときに表示部の一部を覆うところに特徴を有する。
【００１２】
請求項７に係る遊技機は、第１姿勢と第２姿勢との間を回動可能に軸支された回動部材と、回動部材に形成されて、遊技球を受容可能な遊技球受容部と、回動部材を第１姿勢に向けて付勢し、遊技球受容部に遊技球が受容されていない状態では、回動部材を第１姿勢に保持する一方、遊技球受容部に遊技球が受容された状態では、その遊技球の自重によって回動部材が第２姿勢側に回動することを許容する付勢手段と、遊技球受容部から回動軸の軸方向に沿って延設され、遊技球受容部に受容された遊技球を回動軸の軸方向に転動させてから排出する延設ガイドと、第１姿勢では、遊技球受容部から延設ガイドへの遊技球の転動を規制する一方、第２姿勢では、遊技球受容部から延設ガイドへの遊技球の転動を許容する転動ストッパとを備えたところに特徴を有する。
【００１３】
請求項８の発明は、請求項７に記載の遊技機において、回動部材の側方には、遊技球を下方に案内する樋状壁部が設けられ、延設ガイドは、樋状壁部に形成された側部開口を通って遊技球受容部から樋状壁部の内部に突出し、転動ストッパは、側部開口の開口縁で構成されたところに特徴を有する。
【００１４】
請求項９の発明は、請求項８に記載の遊技機において、延設ガイドのうち延設方向と交差方向を向いた側縁部とに、遊技球を排出するための排出部を設け、第１姿勢と第２姿勢との間では、排出部と側部開口の開口縁との間隔が遊技球より小さくなる一方、第２姿勢になると、排出部と側部開口の開口縁との間隔が遊技球より大きくなるように構成したことところに特徴を有する。
【００１５】
請求項１０の発明は、請求項８又は９に記載の遊技機において、回動部材より遊技者側に重ねて設けられた隠蔽部材と、回動部材に設けられて、第１姿勢のときに、隠蔽部材によって隠蔽される一方、回動部材が第２姿勢のときに、隠蔽部材からずれて遊技者が直接視認可能な位置に出現する出没部とが設けられたところに特徴を有する。
【００１６】
請求項１１の発明は、請求項１０に記載の遊技機において、隠蔽部材と遊技球を下方に案内する樋状壁部とを兼用したところに特徴を有する。
【００１７】
請求項１２の発明は、請求項７乃至１１の何れかに記載の遊技機において、遊技球が転動可能な遊技盤と、遊技盤に組み付けられ、動画を表示可能な表示部とが備えられ、回動軸は、遊技盤に直交するように配置され、回動部材には、その回動動作に伴って表示部を横切って移動する可動部が設けられたところに特徴を有する。
【００１８】
請求項１３に係る遊技機は、遊技球が転動可能な遊技盤と、遊技盤に対して直交する回動軸を中心にして、第１姿勢と第２姿勢との間を回動可能な回動部材と、回動部材に形成されて、遊技球を受容可能な遊技球受容部と、回動部材を第１姿勢に向けて付勢し、遊技球受容部に遊技球が受容されていない状態では、回動部材を第１姿勢に保持する一方、遊技球受容部に遊技球が受容された状態では、その遊技球の自重によって回動部材が第２姿勢側に回動することを許容する付勢手段と、回動部材より遊技者側に重ねて設けられた隠蔽部材と、回動部材に設けられ、第１姿勢のときに、隠蔽部材によって隠蔽される一方、回動部材が第２姿勢のときに、隠蔽部材からずれて遊技者が直接視認可能な位置に出現する出没部と、遊技球受容部から延設されて、遊技球受容部に受容された遊技球を転動させてから排出する延設ガイドと、第１姿勢では、遊技球受容部から延設ガイドへの遊技球の転動を規制する一方、第２姿勢では、遊技球受容部から延設ガイドへの遊技球の転動を許容する転動ストッパとを備えたところに特徴を有する。
【００１９】
請求項１４の発明は、請求項１３に記載の遊技機において、延設ガイドは、遊技球受容部から回動軸の軸方向に沿って延設され、遊技球受容部に受容された遊技球を回動軸の軸方向に転動させるように構成されたところに特徴を有する。
【発明の効果】
【００２０】
［請求項１の発明］
上記のように構成した請求項１に係る発明によれば、遊技球受入部に遊技球が受入れられると、遊技球の自重によって回動部材が回動し、回動部材に備えた可動部が第一位置から第二位置まで移動する。ここで、遊技球受入部に受入れられた遊技球は、可動部が第二位置に達すると遊技球受入部に延設された遊技球誘導部に誘導されて再流路上まで移動するので、遊技球受入部は、第二位置において、従来よりも長い時間に亘って遊技球の自重を受けることになる。つまり、可動部が第二位置になっても、遊技球は直ちに再流下されることがなく、再流路上に達するまでの暫くの間、遊技球受入部に延設された遊技球誘導部上を転動するので、可動部が第二位置となっている時間を従来の遊技機よりも長くすることができる。これにより、可動部が第二位置になっていることが分かり易くなり、回動部材の動作による演出効果を向上させることができる。
【００２１】
［請求項２の発明］
請求項２の発明によれば、可動部が第一位置のときに、遊技球受入部に受け入れられた遊技球が落下することが防がれる。
【００２２】
［請求項３の発明］
請求項３の発明によれば、可動部が第一位置から第二位置へ移動している途中で、遊技球受入部から遊技球が落下することが防止され、可動部が第二位置のときに遊技球受入部から遊技球を落下させることができる。これにより、可動部を確実に第一位置と第二位置との間で移動させることができる。
【００２３】
［請求項４の発明］
請求項４の発明によれば、遊技球受入部に受入れられた遊技球をスムーズに遊技球誘導部側へ誘導することができる。
【００２４】
［請求項５の発明］
請求項５の発明によれば、遊技球受入部に遊技球が受入れられると、可動部が隠蔽部材から出没するので、可動部の動きによって遊技の趣向性を向上させることができる。
【００２５】
［請求項６の発明］
請求項６の発明によれば、可動部は、第二位置のときに表示部の一部を覆うので、可動部の動きが遊技者から視認し易くなる。
【００２６】
［請求項７の発明］
請求項７の発明によれば、回動部材に備えた遊技球受容部に遊技球が受容されると、回動部材は、その遊技球を遊技球受容部に保持した状態で第１姿勢から第２姿勢側へ回動する。そして、第２姿勢となると、遊技球受容部に受容された遊技球は、延設ガイドに沿って回動軸の軸方向に転動してから排出される。つまり、回動部材が第２姿勢となっても、遊技球は直ちに排出されることはなく、暫くの間、遊技球受容部上を転動するので、回動部材が第２姿勢となっている時間を従来の遊技機より長くすることができる。これにより、回動部材が第２姿勢になっていることが分かり易くなり、回動部材の動作による演出効果を向上させることができる。
【００２７】
［請求項８の発明］
請求項８の発明によれば、回動部材が第１姿勢のときは、遊技球受容部に受容された遊技球は、樋状壁部の側部開口の開口縁に当接するので、その遊技球は延設ガイド側（回動軸の軸方向）への転動が規制される。一方、回動部材が第２姿勢のときは、遊技球受容部に受容された遊技球の延設ガイド側への転動が許容されるので、遊技球は、側部開口を通って樋状壁部内に進入し、樋状壁部内を流下する。
【００２８】
［請求項９の発明］
請求項９の発明によれば、第１姿勢と第２姿勢との間では、遊技球を排出するための排出部と側部開口の開口縁との間隔が遊技球より小さいので、遊技球が延設ガイド側（回動軸の軸方向）へ転動することがない。第２姿勢になると、排出部と側部開口の開口縁との間隔が遊技球より大きくなるので、遊技球が延設ガイド側へ転動する。このように、遊技球受容部に受容された遊技球は、可動部が第２姿勢となるまで延設ガイド側へ転動することが規制され、第２姿勢となったときに延設ガイド側へ転動するので、回動部材が第１姿勢から第２姿勢側に回動している途中で、遊技球受容部から遊技球が落下することが防止される。これにより、回動部材を確実に第１姿勢と第２姿勢との間で回動させることができる。
【００２９】
［請求項１０の発明］
請求項１０の発明によれば、回動部材の動作に伴って、回動部材に備えられた出没部が隠蔽部材によって隠蔽されたり、遊技者から視認可能な位置に出現したりするので、出没部の動きによって遊技の趣向性を向上させることができる。
【００３０】
［請求項１１の発明］
請求項１１の発明によれば、隠蔽部材と樋状壁部とを別部材とした場合に比較して部品点数を削減することができる。
【００３１】
［請求項１２の発明］
請求項１２の発明によれば、回動部材の回動動作に伴って表示部を横切って移動する可動部が設けられたので、遊技者から回動部材が回動していることが視認し易くなると共に、可動部によって表示部の一部が遮られるという斬新な遊技を行うことが可能となる。
【００３２】
［請求項１３の発明］
請求項１３の発明によれば、回動部材に備えた遊技球受容部に遊技球が受容されると、回動部材は、その遊技球を遊技球受容部に保持した状態で、遊技盤に平行な面内を第１姿勢から第２姿勢側へ回動する。そして、第２姿勢となると、遊技球受容部に受容された遊技球は、延設ガイドに沿って回動軸の軸方向に転動してから排出される。つまり、回動部材が第２姿勢となっても、遊技球は直ちに排出されることはなく、暫くの間、遊技球受容部に延設された延設ガイド上を転動するので、回動部材が第２姿勢となっている時間を従来の遊技機より長くすることができる。これにより、回動部材が第２姿勢となったことが分かり易くなり、回動部材の動作による演出効果を高めることができる。ここで、回動部材に備えられた出没部は、第１姿勢のときに隠蔽部材に隠蔽され、第２姿勢のときに遊技者から視認可能な位置に出現するので、出没部が出現している時間を比較的長くすることができる。つまり、遊技者は出没部を視認し易くなり、回動部材の動作に伴う出没部の出没によって遊技の趣向性を向上することができる。
【００３３】
［請求項１４の発明］
請求項１４の発明によれば、延設ガイドは、回動軸の軸方向、即ち、遊技盤に直交する方向に延設されたので、延設ガイドを遊技盤と平行な方向へ延設した場合に比較して、遊技盤に平行な面内における回動部材の回動スペースを小さくすることができる。
【図面の簡単な説明】
【００３４】
【図１】本発明の第１実施形態に係るパチンコ遊技機の正面図
【図２】表示装置の正面図
【図３】表示装置の斜視図
【図４】装飾枠の下辺部の部分拡大図
【図５】回動部材の斜視図
【図６】ワープ流下路の平断面図
【図７】第１姿勢における回動部材の斜視図
【図８】第２姿勢に向かって回動している途中の回動部材の斜視図
【図９】第２姿勢における回動部材の斜視図
【図１０】第１姿勢における回動部材の正面図
【図１１】第２姿勢に向かって回動している途中の回動部材の正面図
【図１２】第２姿勢になる直前の回動部材の正面図
【図１３】第２姿勢における回動部材の正面図
【図１４】第２実施形態に係る回動部材の側面図
【図１５】回動部材の正面図
【発明を実施するための形態】
【００３５】
［第１実施形態］
以下、本発明を適用したパチンコ遊技機に係る第１実施形態を、図１〜図１３に基づいて説明する。図１に示すように、本実施形態のパチンコ遊技機の遊技盤１１には、ガイドレール１２で囲まれたほぼ円形の遊技領域Ｒ１が形成され、この遊技領域Ｒ１内に表示装置１３が備えられている。
【００３６】
表示装置１３は、遊技領域Ｒ１において向かって右寄りに偏在され、表示装置１３の左側辺とガイドレール１２との間には、風車１７が設けられている。表示装置１３の下方には、始動入賞口１４、大入賞口１５及び外れ球受け入れ口１６が、上から順に間隔を開けて並べて設けられている。遊技領域Ｒ１のうち始動入賞口１４の左右両側には、始動ゲート１８，１８が設けられ、これら始動ゲート１８の側方には、ガイドレール１２に沿って円弧状に湾曲したサイドランプ２２，２２が設けられている。さらに、遊技領域Ｒ１全体に亘って、図示しない複数の障害釘が起立している。
【００３７】
パチンコ遊技機のうち、遊技盤１１の上方と両側方には、遊技盤１１の前面側（遊技者側）に張り出した装飾ランプ３０が設けられている。また、遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａの上面には、上皿２７Ａから下皿２７Ｂに遊技球を移動するためのボタン２９が設けられ、上皿２７Ａの両側部には、スピーカ５９Ｓ，５９Ｓが備えられている。
【００３８】
次に所要の各部位について詳説する。
始動ゲート１８は、門形構造をなしかつ検出スイッチを内蔵し、始動ゲート１８を通過した遊技球が検出スイッチにて検出される。そして、その検出信号に基づいて、後述する普通図柄表示領域２４の図柄が変動表示される。
【００３９】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され（図１の状態）、遊技球が可動翼片１４Ｃに案内されて始動入賞口１４に入り得る状態になる。
【００４０】
始動入賞口１４に遊技球が入賞すると、始動入賞口１４内に設けた検出スイッチが遊技球を検出し、その検出信号に基づいて表示装置１３が後述するように図柄を変動表示する。なお、表示装置１３が図柄を変動表示している間に、始動入賞口１４に入賞した入賞球は、例えば、４個まで累積カウントされる。
【００４１】
大入賞口１５は、横長に形成されて、常には、可動扉１５Ｔにて閉塞されている。そして、後述する所定条件が成立するとによって、遊技盤１１の裏に設けたソレノイドが駆動され、可動扉１５Ｔが所定期間に亘って前側に倒れ、大当たり遊技が開始される（図１の状態）。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。なお、本実施形態では、１回の「大当たり遊技」は、最大で１５ラウンドまで継続して行われる。また、本実施形態では、実行可能な残りのラウンド数は、後述する表示装置１３に備えられたラウンド数表示部１９にて表示される。なお、残りのラウンド数は、表示装置１３の表示部３４にて表示するようにしてもよい。
【００４２】
大入賞口１５の内部には、継続入賞口と計数入賞口とが設けられており、大当たり遊技中にこれら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた検出スイッチが遊技球の入賞を検出すると、前述した終了条件を満たしてラウンドが終了した後で、連続して次のラウンドが実行される。また、計数入賞口内に設けた検出スイッチが遊技球の入賞を検出すると、継続入賞口への入賞球と合わせて、大入賞口１５への入賞球がカウントされ、これらが前記したように計１０個に達したか否かがチェックされる。
【００４３】
表示装置１３は、図２に示すように、全体として枠形構造をなした装飾枠２３の後端面に、図示しない液晶モジュール（詳細には、ＴＦＴ−ＬＣＤモジュール）を組み付けてなる。液晶モジュールのうち、装飾枠２３に形成された横長の表示窓２３Ｗで取り囲まれた前面部分は、表示部３４となっており、遊技者は、装飾枠２３の表示窓２３Ｗを通して表示部３４に表示された画像を見ることができる。
【００４４】
表示部３４には、図１に示すように、通常は、左、中、右の３つの特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごとに、所定の種類のものが、表示部３４に確定表示されている。そして、始動入賞口１４に遊技球が入賞したときに、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ぞろ目になった場合に、「大当たり遊技」が開始され、可動扉１５Ｔが開かれる。
【００４５】
表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。また、普通図柄表示領域２４が変動表示している間に始動ゲート１８を通過した遊技球は、例えば、４つまで累積カウントされ、例えば、図示しないＬＥＤの点灯数で表示される。
【００４６】
一方、図２に示すように、表示装置１３の装飾枠２３は、遊技盤１１に形成された図示しない取付窓に嵌め込まれて、周縁部から張り出した複数のフランジ部４９を遊技盤１１面に突き当てて固定されている。装飾枠２３の上辺と両側辺は、遊技盤１１から前方（図１における紙面手前側）に突出している。
【００４７】
図２及び図３に示すように、装飾枠２３の上辺部分には、円弧状をなした上部ランプ３１と、図示しない演出部品（例えば、ぬいぐるみ）を配置するための凹所３２とが設けられている。
【００４８】
装飾枠２３の右側部には、ラウンド数表示部１９が備えられている。ラウンド数表示部１９は、有色の透光性樹脂の後面側に複数のＬＥＤ（図示せず）を備えた構成をなし、点灯したＬＥＤの組み合わせによって、ラウンド数表示部１９において、例えば「００」〜「９９」の数字が表示されるようになっている。
【００４９】
装飾枠２３の下辺部分には、遊技球が遊転可能な前側ステージ２５Ｆと後側ステージ２５Ｂとが前後に平行に並べて設けられている。後側ステージ２５Ｂは、装飾枠２３の左右両側辺を繋ぐように形成されており、左右両端部から中央部に向かって下方に傾斜する一方、中央部には、山形に隆起した隆起部８３が形成されている（図４の（Ａ）を参照）。後側ステージ２５Ｂの上面のうち、隆起部８３の両端部分には、緩斜面８４，８４が形成されている。緩斜面８４，８４は、凹形状に湾曲すると共に後側ステージ２５Ｂの奥側から前端縁に向かうに従って下方に傾斜している。さらに、後側ステージ２５Ｂの両端部と隆起部８３との前端縁には、落下防止壁８５が起立している。これにより、後側ステージ２５Ｂ上を転動する遊技球が、後側ステージ２５Ｂの緩斜面８４，８４から後述する前側ステージ２５Ｆ上に落下するようになっている。
【００５０】
前側ステージ２５Ｆは、後側ステージ２５Ｂの前側（遊技者側）に設けられ、段付き状に後側ステージ２５Ｂよりも低くなっている。前側ステージ２５Ｆも後側ステージ２５Ｂと同様に、装飾枠２３の左右両側辺を繋ぐように延びており、左右の両端部から中央部に向かって下るように傾斜している。前側ステージ２５Ｆの途中部分、より詳細には、後側ステージ２５Ｂの緩斜面８４，８４の前側部分には、段差部４０，４０が形成されており、これら段差部４０，４０で挟まれた部分は、両側部から中央部分に向かって下るように緩やかな円弧形状をなしている。前側ステージ２５Ｆの中央部には、前側ステージ２５Ｆの奥側から前方に向かって若干下方に傾斜した緩斜面８０が形成されている。また、図４の（Ａ）に示すように、前側ステージ２５Ｆの段差部４０，４０が形成された部分の前端縁には、落下防止壁８１が起立している。そして、後側ステージ２５Ｂの緩斜面８４，８４から前側ステージ２５Ｆ上に落下した遊技球は、この落下防止壁８１に衝突するので、前側ステージ２５Ｆの前端縁からすぐに落下することなく、前側ステージ２５Ｆ上を左右に転動する。そして、左右に転動した後で、前側ステージ２５Ｆの緩斜面８０から表示装置１３の下方に流下される。なお、前側ステージ２５Ｆの緩斜面８０の真下位置には、始動入賞口１４が配置されており、前側ステージ２５Ｆの緩斜面８０から下方へ流下した遊技球は、前側ステージ２５Ｆから流下しなかった遊技球よりも始動入賞口１４へ入賞し易くなっている（図１を参照）。
【００５１】
ところで、図３に示すように、装飾枠２３の下辺部分のほぼ中央には、後側ステージ２５Ｂと前側ステージ２５Ｆとを連絡した誘導通路４１が形成されている。誘導通路４１は、後側ステージ２５Ｂの奥側に設けられた１対の垂直樋４２，４２と、この垂直樋４２，４２の下端部に連絡して、後側ステージ２５Ｂの隆起部８３の真下を貫通したトンネル部４３とから構成されている。
【００５２】
垂直樋４２，４２は、後側ステージ２５Ｂの緩斜面８４，８４の間で、中央から若干左右にずれた位置に形成されている。垂直樋４２，４２は、後側ステージ２５Ｂの奥側の壁部３７を、ほぼ遊技球の直径分だけ奥側に陥没させた構造をなす。また、垂直樋４２，４２は、図４の（Ｂ）に示すように、断面略矩形状をなして上方に開口しており、この開口部が、誘導通路４１の球入口となっている。なお、後側ステージ２５Ｂの隆起部８３の上面は、図４の（Ａ）に示すように、後側ステージ２５Ｂの奥側に向かって若干下方に傾斜しており、後側ステージ２５Ｂの隆起部８３上を転動する遊技球が、垂直樋４２，４２に転入し易くなっている。
【００５３】
一方、誘導通路４１を構成するトンネル部４３は、図３に示すように、後側ステージ２５Ｂと直交するように延びており、トンネル部４３の前端開口、即ち、前側ステージ２５Ｆの奥側の壁部３８に形成された開口部が、誘導通路４１の球出口となっている。トンネル部４３の底面は、全体として前方に向かって下方に傾斜しかつ、左右両側から中央に向かって下方に傾斜している。これにより、垂直樋４２，４２を通ってトンネル部４３の奥部に落下した遊技球は、トンネル部４３の中央に向かって転動すると共に、トンネル部４３の前方に向かって転動する。また、トンネル部４３の左右方向の幅は、遊技球を３つ横並びとしたときの幅よりも若干大きくなっているので、一度に３つの遊技球がトンネル部４３を通って、前端開口（誘導通路４１の球出口）から前側ステージ２５Ｆに排出可能となっている。また、一度に複数の遊技球がトンネル部４３内を転動した場合でも、遊技球同士がトンネル部４３内でかみ合って詰まることが防止される。
【００５４】
トンネル部４３の左右方向の中央部分には、中排出路４４が陥没形成され、この中排出路４４の両側部分には、中排出路４４よりも段付き状に高くなった側部排出路４５，４５が形成されている。中排出路４４は、ちょうど遊技球１つ分の幅を有し、底面には、１対の突条４６，４６が前後方向に延びている。そして、この突条４６と、側部排出路４５との境界部分に形成された段差壁とによって、中排出路４４を転動する遊技球の転動方向を安定させることができる。さらに、この突条４６，４６があることで、遊技球が各排出路４５，４５に区画され、「球がみ」（球詰まり）の防止にもなる。
【００５５】
一方、側部排出路４５，４５は、前記垂直樋４２，４２の真下位置から前方に向かって延びており、その底面は前述したように、前方へ向かって下方へ傾斜すると共に中排出路４４側に向かって下方に傾斜している。側部排出路４５，４５のうち、中排出路４４との境界部分には突条４７，４７が形成されており、側部排出路４５を転動する遊技球は、途中で中排出路４４に転入し難くなっている。なお、突条４７，４７は、側部排出路４５，４５の奥端部、即ち、トンネル部４３と垂直樋４２，４２との交差部分には形成されていないので、垂直樋４２を通って側部排出路４５の奥端部に落下した遊技球のほとんどは、傾斜によって中排出路４４に転入するように構成されている。以上が、装飾枠２３の下辺部分に設けられた各ステージ２５Ｂ，２５Ｆの説明である。なお、本実施形態では、垂直樋４２，４２は２箇所に設けられているが、３箇所以上の複数箇所に設けてもよい。
【００５６】
さて、装飾枠２３の左側辺には、図２に示すように斜め上方を向いて開放した入球口３９が設けられ、表示装置１３の上方から流下して入球口３９に転入した遊技球が、装飾枠２３の左側辺に設けられたワープ流下路２６を通過して後側ステージ２５Ｂに案内されるようになっている。ワープ流下路２６は、図６に示すように前記入球口３９と連通した前側流路２６Ａ（本発明の「再流路」に相当する）と、この前側流路２６Ａよりも奥側に設けられた後側流路２６Ｂとから構成される。前側流路２６Ａは、樋形状をなして上下方向に延びた樋状壁部６０によって構成される。樋状壁部６０は、前方に開放しており、前側流路２６Ａを流下する遊技球は、前方から視認可能となっている。
【００５７】
一方、後側流路２６Ｂは、樋状壁部６０の後側に設けられており、図３に示すように、後側流路２６Ｂを構成する壁部のうち、装飾枠２３の内側の側壁６９には、縦長の矩形窓６８が形成されている。そして、後側流路２６Ｂの内部には、後述する回動部材９０が収容されている。
【００５８】
回動部材９０は、図５に示すように、上端部に遊技球受容部９２（本発明の「遊技球受入部」に相当する）を備える一方、下端部に可動部９３（本発明の「出没部」に相当する）を備え、これら遊技球受容部９２と可動部９３との間に設けた軸部９４によって、後側流路２６Ｂ内に回動可能に軸支されている。軸部９４は、前側流路２６Ａを構成する樋状壁部６０のうち、後側流路２６Ｂとの間に形成された奥壁部６０Ａと、その奥壁部６０Ａに対向した後側流路２６Ｂの奥壁６７との間に差し渡されており（図６を参照）、遊技盤１１面に対して直交しかつ水平方向（図１０における紙面と直交する方向）を向いている。これにより、回動部材９０は、遊技盤１１面に平行な面内で、第１の姿勢（図７及び図１０の状態）と第２の姿勢（図９及び図１３の状態）との間で回動し、遊技球受容部９２が後側流路２６Ｂ内で上下移動する。なお、回動部材９０が第１姿勢のときの可動部９３の位置が、本発明の「第一位置」に相当し、回動部材９０が第２姿勢のときの可動部９３の位置が、本発明の「第二位置」に相当する。
【００５９】
遊技球受容部９２は、回動部材９０の上端部を緩やかに円弧状に湾曲させた形状をなし、遊技球を１つ受容可能な大きさとなっている。遊技球受容部９２の上面は、遊技球の外周面に沿って湾曲している。遊技球受容部９２のうち、軸部９４から離れた側の前端部には、遊技球の半径よりも幅狭な軸状をなした延設ガイド９６（本発明の「遊技球誘導部」に相当する）が設けられており、軸部９４の軸方向に沿って前方（図５における紙面手前側）に突出している。ここで、遊技球受容部９２の上面には、前端部（図５における紙面手前側）に向かって下方に傾斜した傾斜面９５が形成されているので、遊技球受容部９２に受容された遊技球は、傾斜面９５によって延設ガイド９６側へスムーズに案内されるようになっている。また、延設ガイド９６を、軸部９４の軸方向、即ち、遊技盤１１に直交する方向に延設したので、延設ガイド９６を遊技盤１１と平行な方向へ延設した場合に比較して、遊技盤１１に平行な面内における回動部材９０の回動のためのスペースを小さくすることができる。
【００６０】
なお、後述するように、延設ガイド９６の側縁部と遊技球受容部９２の前端縁との間には、排出部９８が設けられ、遊技球受容部９２から延設ガイド９６側へ転動した遊技球は、この排出部９８から下方に流下される。つまり、遊技球が遊技球受容部９２の前端縁に到達する前に遊技球が排出可能であるため延設ガイド９６の前端縁から遊技球を排出するよりもスペースを小さくすることができる。また、本実施形態における回動部材９０は、遊技球受容部９２から軸と平行な方向へ遊技球を排出する構成であるため、本願発明の効果を発揮するのに適している。その理由は、軸と平行方向への遊技球の排出は、回動部材９０が如何なる位置においても可能であるため、排出するまでの時間稼ぎの手段が必要となるためである。
【００６１】
回動部材９０の下端部に備えた可動部９３は、扁平ブロック形状をなしており、可動部９３の前面（遊技者側の面）には、例えば、キャラクター図柄が描かれた装飾プレート９７が敷設されている。可動部９３には、金属製の重り（本発明の「付勢手段」に相当する）が内蔵されており、回動部材９０は、この重り９１によって、常には、図７及び図１０に示す第１姿勢に付勢されている。また、回動部材９０が第１姿勢のときには、可動部９３は、後側流路２６Ｂ内に配置され、側面が側壁６９に形成された矩形窓６８に臨んでいる。そして、遊技球受容部９２に遊技球が受容され、回動部材９０が回動すると、可動部９３は矩形窓６８から表示窓２３Ｗの内側領域へ突出する。
【００６２】
ここで、回動部材９０が第１姿勢で後側流路２６Ｂ内に配置されているときには、可動部９３は、前側流路２６Ａを構成する樋状壁部６０に遮られて遊技者側から視認不可能となっている（図１０を参照）。なお、この樋状壁部６０は、本発明の「隠蔽部材」に相当する。一方、回動部材９０が回動して、可動部９３が矩形窓６８から表示窓２３Ｗの内側領域に突出すると、可動部９３は、表示部３４の前側に配置されることになり、可動部９３が遊技者から視認可能となる（図１１〜図１３の状態）。なお、通常、遊技者は、表示部３４の表示図柄を見ながら遊技を行うので、可動部９３を表示部３４の前側に出現させることで、可動部９３が出現したことが遊技者から分かり易くなっている。
【００６３】
ところで、樋状壁部６０のうち、前側流路２６Ａと後側流路２６Ｂとの間に形成された奥壁部６０Ａには、前側流路２６Ａと後側流路２６Ｂとを連通した２つの開口部６１，６２が上下に設けられている。
【００６４】
上側開口部６１は、図１０に示すように、遊技球が１つ通過可能な大きさを有し、回動部材９０の遊技球受容部９２よりも上方に形成されている。上側開口部６１の前方には、入球口３９から前側流路２６Ａ内に入球した遊技球を受ける球受け板６３が突出している。球受け板６３の上側開口部６１寄り位置には、屈曲した案内片６４が起立しており、球受け板６３上に落下した遊技球は、この案内片６４によって転動方向が変えられ、上側開口部６１に案内される（図７を参照）。
【００６５】
一方、下側開口部６２は、上側開口部６１の下側、即ち、球受け板６３の下方部分に形成されている。この下側開口部６２の対向位置には、前記した回動部材９０の遊技球受容部９２が配置され、遊技球受容部９２から延設された延設ガイド９６が、この下側開口部６２を貫通して後側流路２６Ｂから前側流路２６Ａ内に突出している。なお、この下側開口部６２が、本発明の「側部開口」に相当する。
【００６６】
下側開口部６２の開口縁の一部は、奥壁部６０Ａに一体に設けられた転動ストッパ６５（本発明の「移動規制手段」及び「落下規制手段」に相当する）によって構成されている。転動ストッパ６５は、奥壁部６０Ａから前方に膨出しかつ球受け板６３の下面から下方に延びており、下端部には、矩形状の切り欠き部６６が形成されている。そして、遊技球受容部９２に受容された遊技球は、この転動ストッパ６５に当接することで、前方（延設ガイド９６側）への転動が規制される（図１１を参照）。
【００６７】
次に、上記構成からなるパチンコ遊技機の作用・効果を説明する。
操作ノブ２８を操作して、遊技球が連続的に遊技盤１１の遊技領域における上方部分に弾き出されると、それら遊技球は、障害釘、風車１７等に当たって向きを変えられ、ランダムな経路を通って遊技領域の下方に向かう。
【００６８】
遊技球が、下方に向かう途中で始動ゲート１８を通過すると、普通図柄表示領域２４にて「０」〜「９」までの数字を所定期間に亘って変動表示した後、所定の数字を確定表示する。そして、確定表示された数字が奇数の場合に、遊技盤１１の裏に設けたソレノイドが駆動されて、可動翼片１４Ｃ，１４Ｃが所定期間に亘って横に倒れ、始動入賞口１４が開放される。
【００６９】
遊技球が、下方に向かう途中で、各入賞口１４，１５に入ると、その遊技球は、遊技盤１１の裏側に取り込まれ、代わりに所定数の賞球が上皿２７Ａに払い出される。
【００７０】
また、遊技球が始動入賞口１４に入った場合には、表示装置１３に表示された各特別図柄１３Ａ，１３Ｂ，１３Ｃ（図１参照）が、所定時間に亘ってスクロール表示された後で、順次に停止表示される。そして、３つの特別図柄１３Ａ，１３Ｂ，１３Ｃが、ぞろ目になると、遊技盤１１の裏に設けたソレノイド（図示せず）が駆動され、可動扉１５Ｔが所定期間に亘って前側に倒れて、大入賞口１５が開いた「大当たり状態」になる。その大入賞口１５が開放しているラウンド中に、大入賞口１５内の継続入賞口に遊技球が入ると、そのラウンドが終了した後で、連続して次のラウンドが実行され、これが最高で１５ラウンドまで繰り返される。
【００７１】
さて、遊技領域Ｒ１を流下する遊技球のうち、いくつかの遊技球は、表示装置１３の装飾枠２３に形成された入球口３９（図２を参照）から、装飾枠２３に設けられたワープ流下路２６内に入り込む。ワープ流下路２６に入り込んだ遊技球は、前側流路２６Ａ内の球受け板６３に受け止められる。そして、球受け板６３に起立した案内片６４によって上側開口部６１へ案内されて、上側開口部６１を通って後側流路２６Ｂへ転入し、後側流路２６Ｂ内を下方に流下する（図７を参照）。
【００７２】
後側流路２６Ｂ内を流下した遊技球は、後側流路２６Ｂ内で第１姿勢（図７及び図１０の状態）に保持されている回動部材９０の遊技球受容部９２上に落下し、受け止められる。ここで、回動部材９０が第１姿勢となっているときには、可動部９３は、樋状壁部６０によって前方から覆われているので、遊技者からは視認できない。
【００７３】
また、回動部材９０が第１姿勢のときには、延設ガイド９６の側縁部と下側開口部６２の開口縁、より詳細には、転動ストッパ６５の切り欠き部６６の縁部との間隔Ｈ（図６を参照）は、遊技球の直径よりも小さくなっている。これにより、遊技球受容部９２から延設ガイド９６側（図１０における紙面手前側）への遊技球の転動が規制され、回動部材９０が第１姿勢のときに、遊技球受容部９２に受容した遊技球が、遊技球受容部９２から排出されることが防止される。
【００７４】
遊技球受容部９２に遊技球が受容されると、回動部材９０は受容した遊技球の自重によって、軸部９４を中心として、反時計回り方向への回動を開始する。回動部材９０が第１姿勢から第２姿勢に向かって回動すると（図８及び図１１の状態）、延設ガイド９６の側縁部と転動ストッパ６５の切り欠き部６６の縁部との間隔Ｈ（図６を参照）が徐々に広がる。しかしながら、このときにも、延設ガイド９６の側縁部と転動ストッパ６５の切り欠き部６６の縁部との間隔は、遊技球の直径よりも小さくなっているので、遊技球受容部９２に受容された遊技球は、延設ガイド９６側へ転動することが規制されている。これにより、遊技球受容部９２から遊技球が落下することが防止される。
【００７５】
また、回動部材９０が第２姿勢となる直前（図１２の状態）では、延設ガイド９６の側縁部と切り欠き部６６の縁部との間隔が、遊技球の直径と同じとなり、延設ガイド９６の側縁部と切り欠き部６６の縁部とで、遊技球を挟んだ状態となるので、このときも、遊技球受容部９２から遊技球が落下することが防止される。つまり、回動部材９０が第１姿勢から第２姿勢に移行する途中で、遊技球受容部９２から遊技球が落下することが防止される。これにより、回動部材９０を確実に第１姿勢と第２姿勢との間で回動させることができる。
【００７６】
ここで、回動部材９０が回動すると、軸部９４を挟んで遊技球受容部９２と反対側に設けられた可動部９３は、側壁６９に貫通形成された矩形窓６８から表示窓２３Ｗの内側領域へ徐々に突出し、表示部３４の前側に出現する。つまり、遊技者から可動部９３が視認可能となると共に、表示部３４の一部が可動部９３によって覆われる（図１１及び図１２を参照）。
【００７７】
そして、回動部材９０が第２姿勢（図９及び図１３の状態）となると、延設ガイド９６の側縁部と転動ストッパ６５の切り欠き部６６の縁部との間隔が遊技球の直径よりも大きくなる。すると、遊技球受容部９２に受容された遊技球の延設ガイド９６側への転動が許容され、遊技球は、図９に示すように、遊技球受容部９２から延設ガイド９６に沿って、前方（遊技者側）へ移動する。そして、樋状壁部６０の奥壁部６０Ａに貫通形成された下側開口部６２を通って、後側流路２６Ｂから前側流路２６Ａ内に進入し、前側流路２６Ａ内で、延設ガイド９６の側縁部に形成された排出部９８から下方へ落下する。つまり、回動部材９０が第１姿勢から第２姿勢に移行する間は、遊技球が遊技球受容部９２に保持され、第２姿勢となると、遊技球受容部９２に受容された遊技球が延設ガイド９６の先端側へ向かって転動するので、回動部材９０が第２姿勢（可動部９３が「第二位置」）となっている時間が、従来のものよりも長くなる。従って、回動部材９０に備えた可動部９３が遊技者から視認可能な位置に出現している時間が従来よりも長くなり、回動部材９０が回動していることが分かり易くなる。
【００７８】
遊技球が排出部９８から排出されると、回動部材９０は重り９１の自重によって時計回りに回動して第１姿勢に戻されると共に、可動部９３は再び後側流路２６Ｂ内に収容されて、遊技者から視認不可能となる。つまり、回動部材９０の回動動作によって、可動部９３が表示部３４の前側を横切って出没するので、可動部９３の動きによって遊技の趣向性を向上することができる。
【００７９】
なお、前側流路２６Ａを流下した遊技球は、後側ステージ２５Ｂの左端位置に誘導され、後側ステージ２５Ｂ上を左右に転動する。そして、後側ステージ２５Ｂ上を転動する遊技球のうちのいくつかは、後側ステージ２５Ｂの後方に設けられた垂直樋４２，４２から誘導通路４１内へ転入し、前側ステージ２５Ｆの中央に誘導された後で前縁部から表示装置１３の下方へ流下する。
【００８０】
このように、本実施形態のパチンコ遊技機によれば、回動部材９０の遊技球受容部９２に受容された遊技球は、回動部材９０が第２姿勢となると、延設ガイド９６に沿って遊技盤１１に直交する方向に転動してから排出される。つまり、回動部材９０が第２姿勢となっても、遊技球は直ちに排出されることはなく、暫くの間、遊技球受容部９２に延設された延設ガイド９６上を転動するので、回動部材９０が第２姿勢（可動部９３が「第二位置」）となっている時間を従来の遊技機より長くすることができる。これにより、回動部材９０の回動動作が分かり易くなり、回動部材９０の回動による演出効果が向上する。
【００８１】
また、回動部材９０が第２姿勢となっている時間が従来の遊技機より長くなることで、可動部９３が遊技者に視認可能な位置に出現している時間を比較的長くすることができ、遊技者は可動部９３が出現している状態、即ち、回動部材９０が回動している状態を視認し易くなる。そして、回動部材９０の回動と可動部９３の出没によって遊技の趣向性を向上することができる。
【００８２】
［第２実施形態］
図１４及び図１５は、本発明の第２実施形態を示す。
この第２実施形態では、図１４に示すように、後側流路２６Ｂの奥壁６７の後側に、発光体（例えば、ＬＥＤ）１００が備えられている。詳細には、後側流路２６Ｂの奥壁６７は透光性部材で構成されており、奥壁６７の後側に備えた発光体１００の光が遊技者側（図１４における左側）に透過するようになっている。また、図１５に示すように、発光体１００は、第１姿勢における回動部材９０の可動部９３の対向位置に設けられている。なお、その他の構成については上記第１実施形態と同じであるため、同じ構成については、同一符号を付し、重複する説明は省略する。
【００８３】
次に、本実施形態の作用を説明する。回動部材９０が第１姿勢（図１５の（Ａ）の状態）のときには、発光体１００の光は可動部９３によって遮られ、遊技者側（図１５の紙面手前側）に照射されることはない。遊技球受容部９２に遊技球が受容されて回動部材９０が回動すると（図１５の（Ｂ）の状態）、可動部９３が発光体１００の対向位置からずれて、発光体１００の光が奥壁６７を通して遊技者側に照射される。つまり、本実施形態によれば、前記第１実施形態と同様な効果を奏することができると共に、回動部材９０の姿勢によって、発光体１００があたかも点灯と消灯を繰り返しているかのように見せることができる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１及び第２実施形態では、遊技機の一例としてパチンコ遊技機を例示したが、遊技球を遊技媒体とする遊技機であれば、例えば、アレンジボール等に本発明を適用してもよい。
【００８５】
（２）前記第１及び第２実施形態では、表示装置１３の装飾枠２３に、回動部材９０を設けていたが、遊技領域Ｒ１内であれば、どの位置に設けてもよい。
【００８６】
（３）前記第１及び第２実施形態では、回動部材９０は、可動部９３に内蔵された重り９１によって第１姿勢に付勢されていたが、これに限るものではなく、例えば、一端を可動部９３に固定し、他端を後側流路２６Ｂ内に固定したバネで付勢してもよい。
【００８７】
（４）前記第２実施形態では、回動部材９０の可動部９３の後側に発光体１００を配置していたが、可動部９３に発光体１００を内蔵してもよい。このようにすれば、回動部材９０の回動に伴って、発光体１００を揺動させることができる。
【００８８】
（５）前記第２実施形態では、第１姿勢における回動部材９０の可動部９３の後側に発光体１００を備えていたが、例えば、奥壁６７のうち、第１姿勢における回動部材９０の可動部９３の対向部分にキャラクター図柄を描いておいてもよい。
【符号の説明】
【００８９】
１１    遊技盤
２６Ａ    前側流路（再流路）
３４    表示部
６０    樋状壁部
６２    下側開口部（側部開口）
６５    転動ストッパ（移動規制手段及び落下規制手段）
９０    回動部材
９１    重り（付勢手段）
９２    遊技球受容部（遊技球受入部）
９３    可動部（出没部）
９４    軸部
９５    傾斜面
９６    延設ガイド
９８    排出部
【図１】
2010051830.tif 000003
【図２】
2010051830.tif 000004
【図３】
2010051830.tif 000005
【図４】
2010051830.tif 000006
【図５】
2010051830.tif 000007
【図６】
2010051830.tif 000008
【図７】
2010051830.tif 000009
【図８】
2010051830.tif 000010
【図９】
2010051830.tif 000011
【図１０】
2010051830.tif 000012
【図１１】
2010051830.tif 000013
【図１２】
2010051830.tif 000014
【図１３】
2010051830.tif 000015
【図１４】
2010051830.tif 000016
【図１５】
2010051830.tif 000017